(57)【要約】      （修正有）【課題】容易迅速にＨ型鋼に設置することができる仮設足場を提供する。【解決手段】上下フランジ１Ａと上下フランジを結ぶウエブ１Ｂとを有するＨ型鋼１又はＩ型鋼の上部フランジの上面１ａに左右幅方向に沿うように載置される水平部２と、水平部２の一端から下方へ延びる下向き部３と、下向き部３の下側部分から左右幅方向外側に延びて足場板８を載置支持するための水平支持部４とを備え、水平部２の左右幅方向両端部に、上部フランジの下面１Ｕに当接することで水平部２と協働して上部フランジを挟持するためのクランプ部６を備えている。また、下向き部の下側部分に、ウエブ側に延びてウエブの側面１ｂに当接する伸縮自在な突っ張り部７を備えていてもよい。【選択図】図１
0003186444.tif 000002
【実用新案登録請求の範囲】
【請求項１】
上下フランジと上下フランジを結ぶウエブとを有するＨ型鋼又はＩ型鋼の上部フランジの上面に左右幅方向に沿うように載置される水平部と、該水平部の一端から下方へ延びる下向き部と、該下向き部の下側部分から左右幅方向外側に延びて足場板を載置支持するための水平支持部とを備え、前記水平部の左右幅方向両端部に、上部フランジの下面に当接することで該水平部と協働して該上部フランジを挟持するためのクランプ部を備えていることを特徴とする仮設足場。
【請求項２】
前記下向き部の下側部分には、前記ウエブ側に延びて該ウエブの側面に当接する伸縮自在な突っ張り部を備えていることを特徴とする請求項１に記載の仮設足場。
【請求項３】
前記水平支持部の左右幅方向外側端に上方に延びる棒状の手摺を備えていることを特徴とする請求項１又は２に記載の仮設足場。
【考案の詳細な説明】
【技術分野】
【０００１】
本考案は、例えば鉄道用や道路用の橋脚として使用されるＨ型鋼に設置して保守・点検作業を行うことができる仮設足場に関する。
【背景技術】
【０００２】
上記のようにＨ型鋼の左右幅方向の横一側方へ仮設足場を設置して、例えば鉄道橋の線路の保守・点検が行えるようにしている。その仮設足場を設置するために、足場クランプを利用したものが一例として挙げられる。この足場クランプは、Ｈ型鋼のフランジを挟持するクランプ部と、足場を載置するための鋼管をクランプする鋼管クランプ部とを備えて構成されている。そして、仮設足場を設置する場合には、まず多数の足場クランプをＨ型鋼に挟持して足場クランプをＨ型鋼に固定する固定作業を行う。この固定作業終了後に、足場クランプに鋼管をクランプするクランプ作業を行った後、クランプされている多数の鋼管同士を連結して一体化する連結作業を行ってから、足場板を連結された鋼管上に載置して仮設足場を設置する作業が終了する（例えば、特許文献１参照）。
【先行技術文献】
【特許文献】
【０００３】
【特許文献１】実用新案登録第３０００７３３号公報（図３参照）
【考案の概要】
【考案が解決しようとする課題】
【０００４】
特許文献１では、足場クランプをＨ型鋼に固定する固定作業と、足場クランプに鋼管をクランプするクランプ作業と、クランプされている多数の鋼管同士を連結して一体化する連結作業の３つの作業を行わなければならず、仮設足場を設置するための作業時間が多くかかるという不都合があった。
【０００５】
そこで、本考案は、かかる事情に鑑みてなされたもので、容易迅速に設置することができる仮設足場を提供することを課題とする。
【課題を解決するための手段】
【０００６】
本考案に係る仮設足場は、上下フランジと上下フランジを結ぶウエブとを有するＨ型鋼又はＩ型鋼の上部フランジの上面に左右幅方向に沿うように載置される水平部と、該水平部の一端から下方へ延びる下向き部と、該下向き部の下側部分から左右幅方向外側に延びて足場板を載置支持するための水平支持部とを備え、前記水平部の左右幅方向両端部に、上部フランジの下面に当接することで該水平部と協働して該上部フランジを挟持するためのクランプ部を備えていることを特徴としている。
【０００７】
本考案によれば、水平部をＨ型鋼又はＩ型鋼の上部フランジの上面に左右幅方向に沿うように載置してから、クランプ部をクランプすることによって、上部フランジを水平部とクランプ部とで挟持して、仮設足場をＨ型鋼又はＩ型鋼の上部フランジに固定できる。固定後は、足場板を水平支持部に載置して完了する。
【０００８】
また、本考案に係る仮設足場は、前記下向き部の下側部分には、前記ウエブ側に延びて該ウエブの側面に当接する伸縮自在な突っ張り部を備えていてもよい。
【０００９】
かかる構成によれば、突っ張り部を伸長させて、ウエブの側面に当接することによって、水平部が左右幅方向において水平支持部側ほど下方に位置する傾斜姿勢になることを回避することができる。
【００１０】
また、本考案に係る仮設足場は、前記水平支持部の左右幅方向外側端に上方に延びる棒状の手摺を備えていてもよい。
【００１１】
かかる構成によれば、突棒状の手摺を備えることによって、足場板に乗って移動しているときに、手摺を掴むことで安定した歩行を行うことができる。
【考案の効果】
【００１２】
以上の如く、本考案に係る仮設足場によれば、クランプ部をクランプするだけで仮設足場を容易迅速に設置することができる。
【図面の簡単な説明】
【００１３】
【図１】本考案の第１実施形態の仮設足場の正面図を示す。
【図２】同仮設足場の平面図を示す。
【図３】本考案の第２実施形態の仮設足場の斜視図を示す。
【考案を実施するための形態】
【００１４】
以下、本考案に係る第１実施形態の本考案の仮設足場について、図面に基づいて説明する。この仮設足場は、鉄道用や道路用の橋脚として使用されるＨ型鋼に設置される。そして設置された仮設足場によって、線路や道路の保守・点検作業を行うことができる。
【００１５】
図１に、Ｈ型鋼１に設置された仮設足場Ｆの正面図を示している。仮設足場Ｆは、Ｈ型鋼１の左右幅方向の一側方に後述する足場板８が載置支持されるように設置される。そして、足場板８が載置支持される高さは、Ｈ型鋼１の上端面よりも下方に位置するように設定されている。
【００１６】
Ｈ型鋼１は、上下フランジ１Ａ，１Ａ（図１では、上側のフランジのみ図示している）と、上下フランジ１Ａ，１Ａを左右幅方向中央部同士で結ぶウエブ１Ｂとを有している。ここでは、Ｈ型鋼１を示しているが、Ｉ型鋼であってもよい。
【００１７】
仮設足場Ｆは、アルミニウム製からなり、Ｈ型鋼１の上部フランジ１Ａの上面１ａに左右幅方向に沿うように載置される水平部２と、水平部２の一端から下方へ延びる下向き部３と、下向き部３の下側部分（下向き部分３の上下中央部よりも少し下方となる部分）から左右幅方向外側に延びて足場板８を載置支持するための水平支持部４と、水平支持部４の左右幅方向外側端に上方に延びる棒状の手摺５とを備え、水平部２の左右幅方向両端部に、上部フランジの下面に当接することで水平部２と協働して上部フランジ１Ａを上下方向から挟持するためのクランプ部６を備えている。尚、図１において水平部２と下向き部３とが連結された内側コーナー部に、連結補強用の三角板９が溶接されている。また、下向き部３と水平支持部４とが連結された下側部分にも、連結補強用の三角板１０が溶接されている。
【００１８】
また、下向き部３の下側部分には、ウエブ１Ｂ側に延びてウエブ１Ｂの側面１ｂに当接する伸縮自在な突っ張り部７を備えている。
【００１９】
水平部２は、角筒状に構成され、上部フランジ１Ａの左右幅寸法よりも長い寸法に構成されている。また、水平部２の下向き部３側一端が、上部フランジ１Ａの左右幅方向外方側に突出し、かつ、斜めにカットされた形状になっている。これに対して、下向き部３も同一径を有する角筒状に構成され、下向き部３の上端が斜めにカットされた形状になっている。そして、これら水平部２及び下向き部３のカットされた端部同士を突き合わせた状態で溶接により連結されている。
【００２０】
水平支持部４は、水平部２及び下向き部３と同様に同一径を有する角筒状に構成され、その一端面４ａを、下向き部３の下側部分の左右幅方向外側面３ａに当接し、その当接状態において溶接により両者４，３が連結されている。
【００２１】
手摺５は、円筒状の丸パイプからなっている。そして、手摺５の下端面５ａを水平支持部４の左右幅方向外側端の上面４ａに当接し、その当接状態において溶接により手摺５が水平支持部４に固定される。
【００２２】
クランプ部６は、水平部２の長手方向両端部にそれぞれ備えている。各クランプ部６は、水平部２に移動自在に外嵌された角型でリング状の可動部６Ａと、可動部６Ａの下面から下方側へ延出される延出部６Ｂと、この延出部６Ｂに形成された螺子孔（図示せず）に螺合する螺子軸からなるクランプ本体６Ｃと、クランプ本体６Ｃを回転操作するためにクランプ本体６Ｃの下端に備えた回転操作用のハンドル６Ｄとを備えている。尚、水平部２の遊端には、可動部６Ａが外れてしまうことを当接により阻止するためのフランジ２Ｆを備えている。クランプ本体６Ｃの上端には、上部フランジ１Ａの下面１Ｕに当接する当接部６Ｅを備えている。
【００２３】
突っ張り部７は、下向き部３の下端部に左右幅方向に貫通するように形成された孔（図示せず）に挿通された螺子軸７Ａと、螺子軸７Ａの孔から露出する部分に螺合された一対のナット７Ｂ，７Ｂと、螺子軸７Ａのウエブ１Ｂ側端に取り付けられてウエブ１Ｂの側面１ｂに当接する当接部７Ｃとを備えている。
【００２４】
前記のように構成された仮設足場Ｆを設置する場合には、まず仮設足場Ｆの水平部２をＨ型鋼１の上部フランジ１Ａの上面１ａに左右幅方向に沿うように載置する。この状態で、各クランプ部６のハンドル６Ｄを人為操作力により回転させることによって、クランプ本体６Ｃが上部フランジ１Ａ側へ螺進する。この螺進によってクランプ本体６Ｃの当接部６Ｅが上部フランジ１Ａの下面１Ｕに当接して、上部フランジ１Ａを水平部２と左右一対のクランプ本体６Ｃ，６Ｃの当接部６Ｅ，６Ｅとで上下方向から挟み込んでいる。これにより、上部フランジ１Ａに仮設足場Ｆを固定している。次に、一対のナット７Ｂ，７Ｂを回転させることによって、螺子軸７Ａがウエブ１Ｂ側に螺進する。この螺進によって螺子軸７Ａの当接部７Ｃがウエブ１Ｂの側面１ｂに当接して、仮設足場Ｆの設置が終了する。当接部７Ｃがウエブ１Ｂの側面１ｂに当接することによって、水平部が左右幅方向において水平支持部側ほど下方に位置する傾斜姿勢（図１において水平部２が右肩下がりとなる姿勢）になることを回避することができる。
【００２５】
図２に示すように、仮設足場Ｆの複数（図２では３個）を前後方向に所定間隔を置いて設置し、それら設置された仮設足場Ｆ，Ｆ間に足場板８を掛け渡して全作業を終了する。ここでは、複数の仮設足場Ｆを設置して、それら設置された仮設足場Ｆ，Ｆ間に足場板８を掛け渡しているが、１個の仮設足場Ｆに足場板８を固定する構成であってもよい。
【００２６】
尚、本考案に係る仮設足場は、上記実施形態に限定されるものではなく、本考案の要旨を逸脱しない範囲で種々の変更が可能である。
【００２７】
前記実施形態では、軽量化を図る目的で仮設足場Ｆをアルミニウムから構成したが、その他の各種の金属材料から構成してもよいし、強度的に優れたものであれば、金属材料以外の材料であってもよい。
【００２８】
また、前記実施形態では、手摺５を丸パイプから構成したが、角パイプから構成してもよく、手摺５の長さや形状は自由に変更することができる。場合によっては、手摺５を省略して実施してもよい。
【００２９】
また、前記実施形態では、仮設足場Ｆに突っ張り部７を備えているが、突っ張り部７の無い仮設足場Ｆであってもよい。
【００３０】
また、前記実施形態では、クランプ本体６Ｃを回転操作するための回転操作用のハンドル６Ｄを水平部２よりも下方に配置したが、図３に示すように、回転操作用のハンドル６Ｄを水平部２よりも上方に配置して操作性を高めてもよい。具体的には、各クランプ部６が、水平部２に移動自在に係合された可動部６１Ａと、可動部６１Ａの左右幅方向内側の上面に固定された台座６１Ｂと、この台座６１Ｂに回転自在に支持される螺子軸６１Ｃと、この螺子軸６１Ｃを回転操作すべく螺子軸６１Ｃの上端に貫通して取り付けられた回転操作用のハンドル６１Ｄと、螺子軸６１Ｃに一端が螺合され、かつ、螺子軸６１Ｃの回転により上下動する水平アーム部６１Ｅと、この水平アーム部６１Ｅの上下動に連動して上下動するように水平アーム部６１Ｅの他端に連結されたクランプ本体６１Ｆとを備えている。水平アーム部６１Ｅには、ハンドル６１Ｄの非回転操作時においてハンドル６１Ｄが他物との当接により不測に回転操作されることがないようにハンドル６１Ｄを覆うためのカバー部材６１Ｇが更に取り付けられている。図３では、左側のカバー部材６１Ｇがハンドル６１Ｄを覆った状態を示し、右側のカバー部材６１Ｇがハンドル６１Ｄの回転操作が行えるようにハンドル６１Ｄから外れた状態を示している。クランプ本体６１Ｆは、略Ｌ字状に形成され、可動部６１Ａに溶接により固定された上下一対のガイド部６１Ｈ，６１Ｈに上下動自在に案内される縦部６１１と、縦部６１１の下端から水平方向に延びる水平部６１２とを備えている。このように構成されたクランプ部６のハンドル６１Ｄを時計周り又は反時計周りに回転操作することによって、水平アーム部６１Ｅ及びクランプ本体６１Ｆを上方又は下方へ移動させることができる。これによって、上部フランジ１Ａを水平部２とクランプ本体６１Ｆとで上下方向から挟持又は挟持解除することができる。
【符号の説明】
【００３１】
１…Ｈ型鋼、１Ａ…上下フランジ（上部フランジ）、１Ｂ…ウエブ、１Ｕ…下面、１ａ…上面、１ｂ…側面、２…水平部、２Ｆ…フランジ、３…下向き部、３ａ…左右幅方向外側面。４…水平支持部、４ａ…上面、５…手摺、５ａ…下端面、６…クランプ部、６Ａ…可動部、６Ｂ…延出部、６Ｃ…クランプ本体、６Ｄ…ハンドル、６Ｅ…当接部、７…突っ張り部、７Ａ…螺子軸、７Ｂ…ナット、７Ｃ…当接部、８…足場板、９，１０…三角板、６１Ａ…可動部、６１Ｂ…台座、６１Ｃ…螺子軸、６１Ｄ…ハンドル、６１Ｅ…水平アーム部、６１Ｆ…クランプ本体、６１Ｇ…カバー部材、６１Ｈ…ガイド部、６１１…縦部、６１２…水平部、Ｆ…仮設足場
【図１】
0003186444.tif 000003
【図２】
0003186444.tif 000004
【図３】
0003186444.tif 000005